(57)【要約】【課題】呼出・通話等の基本機能を有するテレビドアホンシステムに、新たにテレビドアホン子機やテレビドアホン親機等を容易に増設する。【解決手段】屋外に設置されるテレビドアホン子機１と屋内に設置されるテレビドアホン親機３とを接続する２線ケーブルＬ０の間に中継アダプタ装置５を介在させ、テレビドアホン子機とテレビドアホン親機とを中継アダプタ装置を介して２線ケーブルＬ１、Ｌ３で接続し、屋外に増設設置されるテレビドアホン子機２および／または屋内に増設設置されるテレビドアホン親機４を中継アダプタ装置を介して２線ケーブルＬ２、Ｌ４で接続可能とする。【選択図】  図２
2004304551.tif 000002
【特許請求の範囲】
【請求項１】
屋外に設置されるテレビドアホン子機（１）と屋内に設置されるテレビドアホン親機（３）とを接続する２線ケーブル（Ｌ０）の間に中継アダプタ装置（５）を介在させ、前記テレビドアホン子機と前記テレビドアホン親機とを前記中継アダプタ装置を介して２線ケーブル（Ｌ１、Ｌ３）で接続し、
屋外に増設設置されるテレビドアホン子機（２）および／または屋内に増設設置されるテレビドアホン親機（４）を前記中継アダプタ装置を介して２線ケーブル（Ｌ２、Ｌ４）で接続可能とすることを特徴とするテレビドアホンシステム。
【請求項２】
前記テレビドアホン子機は、ＣＣＤ、ＣＭＯＳセンサー等で構成され来客を撮像するための固体撮像素子を有するＴＶカメラモジュール（１１）と、前記ＴＶカメラモジュールで撮像され出力された撮像信号（Ｓ１１）をＦＭ、ＡＭ、ＰＭ等の映像信号（Ｓ１１１）に変調するための映像信号変調回路（１１１）と、呼出ボタン（１４）が押下されたことを検出し、呼出信号（Ｓ１５１）を前記中継アダプタ装置に送信し、前記呼出信号に応答して前記テレビドアホン親機から送信されてくる呼出応答信号（Ｓ１５２）を前記中継アダプタ装置から受信して前記テレビドアホン親機の呼出処理を行う子機制御回路（１５）と、前記来客と通話するための子機マイクロフォン（１２）および子機スピーカ（１３）と、前記中継アダプタ装置から前記２線ケーブルを介して供給される直流電源を用いて前記テレビドアホン子機の回路を動作させるための電源を生成する子機電源回路（１９）と、前記映像信号、前記呼出信号および呼出応答信号、通話信号（Ｓ１７）を多重伝送し、前記２線ケーブルに接続される子機伝送回路（１８）とを備えたことを特徴とする請求項１記載のテレビドアホンシステム。
【請求項３】
前記テレビドアホン親機は、前記２線ケーブルに接続される親機伝送回路（３８）と、前記親機伝送回路に接続されＦＭ、ＡＭ、ＰＭ等の映像信号（Ｓ３８）をＴＶ信号（Ｓ３１１）に復調する映像信号復調回路（３１１）と、来客映像を表示するためのＬＣＤ、有機ＥＬ等で構成される表示ユニット（３１）と、通話ボタン（３３）が押下されたことを検出し、前記テレビドアホン子機からの前記呼出信号を前記中継アダプタ装置から受信し、呼出応答信号（Ｓ３６１）、前記テレビドアホン子機の１つを選局するための選局信号（Ｓ３６）を前記中継アダプタ装置に送信して前記テレビドアホン子機の呼出応答処理および選局処理を行う親機制御回路（３６）と、前記来客と通話するための親機マイクロフォン（３４）および親機スピーカ（３５）とを備えたことを特徴とする請求項１または請求項２記載記載のテレビドアホンシステム。
【請求項４】
前記中継アダプタ装置は、前記テレビドアホン子機に２線ケーブル（Ｌ１、Ｌ２）で接続される複数の子機伝送回路（５１、５２）と、前記テレビドアホン親機に２線ケーブル（Ｌ３、Ｌ４）で接続される複数の親機伝送回路（５３、５４）と、前記テレビドアホン子機および前記テレビドアホン親機を切替えるための音声・映像信号切替回路（５ｅ）と、前記テレビドアホン子機を切替えるための映像信号切替回路（５ｆ）と、前記中継アダプタ装置を介して前記テレビドアホン子機および前記テレビドアホン親機と通信するため前記音声・映像信号切替回路を必要に応じて制御するアダプタ制御回路（５ｂ）と、商用電源に接続され前記テレビドアホン子機および前記テレビドアホン親機に直流電源を給電可能なアダプタ給電回路（５５）とを備えたことを特徴とする請求項１乃至請求項３何れか１項記載のテレビドアホンシステム。
【請求項５】
前記中継アダプタ装置は、前記テレビドアホン子機の前記ＴＶカメラモジュールで撮像され伝送された来客の映像信号を復調するための映像信号復調回路（５ｇ）と、ＪＰＥＧ等の画像圧縮回路（５ｉ）と、前記アダプタ制御回路を介して接続され圧縮された来客画像を録画するための画像メモリ回路（５ｍ）と、前記画像メモリ回路に録画された画像を再生し前記テレビドアホン親機に伝送するための画像伸張回路（５ｌ）と、前記画像を変調する映像変調回路（５ｊ）とを備えたことを特徴とする請求項１乃至請求項４何れか１項記載のテレビドアホンシステム。
【請求項６】
前記テレビドアホン親機は、前記中継アダプタ装置を追加することによって拡張された機能を操作入力するためのタッチパネル（３２）と、前記表示ユニットに前記親機制御回路の内蔵プログラム（３６ａ）によって前記テレビドアホン子機の１つを選局するための操作ボタンまたは操作案内画面を表示するための表示ユニットインタフェース回路（３１２）とを備えたことを特徴とする請求項１乃至請求項５何れか１項記載のテレビドアホンシステム。
【請求項７】
前記テレビドアホン親機は、前記表示ユニットに表示される操作画面にしたがって前記タッチパネルで電気錠解錠操作を行うことによって電気錠制御装置（７１）とデータ通信して電気錠（７２）の解錠または施錠を行う機能を備え、
前記中継アダプタ装置は、ケーブル（Ｌ７）を介して前記電気錠制御装置に接続する電気錠装置インタフェース回路（５７）を備えたことを特徴とする請求項１乃至請求項６何れか１項記載のテレビドアホンシステム。
【請求項８】
前記中継アダプタ装置は、発信機（６２）からの緊急呼出信号を受信する緊急呼出受信装置（６１）に接続するための緊急呼出受信装置インタフェース回路（５６）を備え、
前記テレビドアホン親機は、前記中継アダプタ装置から送信されてきた前記緊急呼出信号に応じて緊急呼出画面を前記表示ユニットに表示し、前記親機スピーカから緊急呼出音を鳴動する機能を備えたことを特徴とする請求項１乃至請求項７何れか１項記載のテレビドアホンシステム。
【請求項９】
前記中継アダプタ装置は、ＴＶ映像信号（Ｓ５９１）および通話信号（Ｓ５９２）、呼出制御信号（Ｓ５ｃ）を無線通信機能を備えたテレビドアホン親機（３ｃ）と通信するための無線親機伝送回路（５ｃ）を有することを特徴とする請求項１乃至請求項８何れか１項記載のテレビドアホンシステム。
【請求項１０】
前記中継アダプタ装置は、２世帯住宅等において他方の世帯に設置される中継アダプタ装置（５ｂ）とケーブル（Ｌ８）で接続され、他方の世帯のテレビドアホン親機（３ｂ）を呼出して通話するための通話信号（Ｓ３６２）および呼出制御信号（Ｓ５８３）を送受信するための他世帯伝送回路（５８）を備えたことを特徴とする請求項１乃至請求項９何れか１項記載のテレビドアホンシステム。
【請求項１１】
前記中継アダプタ装置は、デジタル通信手段を用いてＬＡＮ装置（８１）との間で前記メモリ回路に記録された来客録画等のデータ情報を送受信する無線ＬＡＮカード（５ｄ）を収納するＰＣカードインタフェース回路（５ｎ）を備えたことを特徴とする請求項１乃至請求項１０何れか１項記載のテレビドアホンシステム。
【請求項１２】
前記中継アダプタ装置は、単独で設置されまたは前記テレビドアホン親機と重ねて一体型にして設置される形状とすることを特徴とする請求項１乃至請求項１１何れか１項記載のテレビドアホンシステム。
【発明の詳細な説明】
【０００１】
【発明の属する技術分野】
本発明は、テレビドアホンシステムに係わり、特にシステムの機能を容易に拡張することができるテレビドアホンシステムに関する。
【０００２】
【従来の技術】
従来から、この種のテレビドアホンシステムとして、カメラ付き玄関子機とモニタ付き屋内子機とに接続される屋内親機を備えるテレビドアホンシステムにおいて、監視カメラとコール入力機器が接続された屋内親機は、コール機能と、コール入力機器からのコールが屋内親機に着信したときこのコールに対してカメラ付き玄関子機からの着信コールであるとする情報を付加して、モニタ付き屋内子機に送信する機能とを備え、モニタ付き屋内子機は情報が付加されたコールをカメラ付き玄関子機からの信号として受信し、監視カメラからの映像信号を自身のモニタに表示するように構成して成るものが知られている（例えば、特許文献１参照）。
【０００３】
このような構成のテレビドアホンシステムによれば、コール機能を有しない屋内子機に対してもコール信号を着信させたり、玄関子機以外のカメラ映像を屋内子機に受信させることができ、低コストでテレビドアホンシステムの機能アップを図ることができる。
【０００４】
【特許文献１】特開２００２−３１４６９５号公報  （段落「０００６」、「００２３」、図１）
【０００５】
【発明が解決しようとする課題】
しかしながら、このような構成のテレビドアホンシステムにおいては、既設のテレビドアホンシステムに、新たにカメラ付き玄関子機やモニタ付き屋内子機を増設したり、電気錠や緊急呼出等の機能を付加するためには、既設のテレビドアホンシステムを撤去し、新たに新機能を付加したテレビドアホンシステムを購入し、設置工事をやり直さなければならないという難点があった。
【０００６】
本発明は、このような難点を解決するためになされたもので、呼出・通話等の基本機能を有するテレビドアホンシステムに、新たにテレビドアホン子機やテレビドアホン親機を増設することができ、また、電気錠や緊急呼出などの機能を容易に付加することができるテレビドアホンシステムを提供することを目的としている。
【０００７】
【課題を解決するための手段】
上記の目的を達成するため、本発明のテレビドアホンシステムは、屋外に設置されるテレビドアホン子機と屋内に設置されるテレビドアホン親機とを接続する２線ケーブルの間に中継アダプタ装置を介在させ、テレビドアホン子機とテレビドアホン親機とを中継アダプタ装置を介して２線ケーブルで接続し、屋外に増設設置されるテレビドアホン子機および／または屋内に増設設置されるテレビドアホン親機を中継アダプタ装置を介して２線ケーブルで接続可能とされている。
【０００８】
また、本発明のテレビドアホンシステムにおけるテレビドアホン子機は、ＣＣＤ、ＣＭＯＳセンサー等で構成され来客を撮像するための固体撮像素子を有するＴＶカメラモジュールと、ＴＶカメラモジュールで撮像され出力された撮像信号をＦＭ、ＡＭ、ＰＭ等の映像信号に変調するための映像信号変調回路と、呼出ボタンが押下されたことを検出し、呼出信号を中継アダプタ装置に送信し、呼出信号に応答してテレビドアホン親機から送信されてくる呼出応答信号を中継アダプタ装置から受信してテレビドアホン親機の呼出処理を行う子機制御回路と、来客と通話するための子機マイクロフォンおよび子機スピーカと、中継アダプタ装置から２線ケーブルを介して供給される直流電源を用いてテレビドアホン子機の回路を動作させるための電源を生成する子機電源回路と、映像信号、呼出信号および呼出応答信号、通話信号を多重伝送し、２線ケーブルに接続される子機伝送回路とを備えている。
【０００９】
また、本発明のテレビドアホンシステムにおけるテレビドアホン親機は、２線ケーブルに接続される親機伝送回路と、親機伝送回路に接続されＦＭ、ＡＭ、ＰＭ等の映像信号をＴＶ信号に復調する映像信号復調回路と、来客映像を表示するためのＬＣＤ、有機ＥＬ等で構成される表示ユニットと、通話ボタンが押下されたことを検出し、テレビドアホン子機からの呼出信号を中継アダプタ装置から受信し、呼出応答信号、テレビドアホン子機の１つを選局するための選局信号を中継アダプタ装置に送信してテレビドアホン子機の呼出応答処理および選局処理を行う親機制御回路と、来客と通話するための親機マイクロフォンおよび親機スピーカとを備えている。
【００１０】
また、本発明のテレビドアホンシステムにおける中継アダプタ装置は、テレビドアホン子機に２線ケーブルで接続される複数の子機伝送回路と、テレビドアホン親機に２線ケーブルで接続される複数の親機伝送回路と、テレビドアホン子機およびテレビドアホン親機を切替えるための音声・映像信号切替回路と、テレビドアホン子機を切替えるための映像信号切替回路と、中継アダプタ装置を介してテレビドアホン子機およびテレビドアホン親機と通信するため音声・映像信号切替回路を必要に応じて制御するアダプタ制御回路と、商用電源に接続されテレビドアホン子機およびテレビドアホン親機に直流電源を給電可能なアダプタ電源回路とを備えている。
【００１１】
また、本発明のテレビドアホンシステムにおける中継アダプタ装置は、テレビドアホン子機のＴＶカメラモジュールで撮像され伝送された来客の映像信号を復調するための映像信号復調回路と、ＪＰＥＧ等の画像圧縮回路と、アダプタ制御回路を介して接続され圧縮された来客画像を録画するための画像メモリ回路と、画像メモリ回路に録画された画像を再生しテレビドアホン親機に伝送するための画像伸張回路と、画像を変調する映像変調回路とを備えている。
【００１２】
また、本発明のテレビドアホンシステムにおけるテレビドアホン親機は、中継アダプタ装置を追加することによって拡張された機能を操作入力するためのタッチパネルと、表示ユニットに親機制御回路の内蔵プログラムによってテレビドアホン子機の１つを選局するための操作ボタンまたは操作案内画面を表示するための表示ユニットインタフェース回路とを備えている。
【００１３】
また、本発明のテレビドアホンシステムにおけるテレビドアホン親機は、表示ユニットに表示される操作画面にしたがってタッチパネルで電気錠解錠操作を行うことによって電気錠制御装置とデータ通信して電気錠の解錠または施錠を行う機能を備え、中継アダプタ装置は、ケーブルを介して電気錠制御装置に接続する電気錠装置インタフェース回路を備えている。
【００１４】
また、本発明のテレビドアホンシステムにおける中継アダプタ装置は、発信機からの緊急呼出信号を受信する緊急呼出受信装置に接続するための緊急呼出受信装置インタフェース回路を備え、テレビドアホン親機は、中継アダプタ装置から送信されてきた緊急呼出信号に応じて緊急呼出画面を表示ユニットに表示し、親機スピーカから緊急呼出音を鳴動する機能を備えている。
【００１５】
また、本発明のテレビドアホンシステムにおける中継アダプタ装置は、ＴＶ映像信号および通話信号、呼出制御信号を無線通信機能を備えたテレビドアホン親機と通信するための無線親機伝送回路を有している。
【００１６】
また、本発明のテレビドアホンシステムにおける中継アダプタ装置は、２世帯住宅等において他方の世帯に設置される中継アダプタ装置とケーブルで接続され、他方の世帯のテレビドアホン親機を呼出して通話するための通話信号および呼出制御信号を送受信するための他世帯伝送回路を備えている。
【００１７】
また、本発明のテレビドアホンシステムにおける中継アダプタ装置は、デジタル通信手段を用いてＬＡＮ装置との間でメモリ回路に記録された来客録画等のデータ情報を送受信する無線ＬＡＮカードを収納するＰＣカードインタフェース回路を備えている。
【００１８】
また、本発明のテレビドアホンシステムにおける中継アダプタ装置は、単独で設置されまたはテレビドアホン親機と重ねて一体型にして設置される形状とされている。
【００１９】
本発明のテレビドアホンシステムによれば、呼出や通話等の基本機能を有するテレビドアホンシステムに中継アダプタを追加することで、新たにテレビドアホン子機やテレビドアホン親機を増設することができるので、テレビドアホン子機やテレビドアホン親機をシステムの規模や機能に制約されずに共通スペック化することができ、ひいてはテレビドアホンシステムを小型化することができ、また、低コスト化を図ることができる。さらに、表示部や操作部を必要としないユーザーであれば、中継アダプタ装置を何れの場所でも設置可能で機能アップに必要な構造に設計でき、また、筐体の構造の工夫によりテレビドアホン親機と重ねて一体型として施工することもできる。
【００２０】
【発明の実施の形態】
以下、本発明のテレビドアホンシステムの好ましい実施の形態例について、図面を参照して詳述する。ここで、図１は、本発明のテレビドアホンシステムを構築するための基本システムに係るテレビドアホンシステムの構成図、図２は、本発明の拡張システムに係るテレビドアホンシステムの構成図、図３は、本発明の拡張システムに係るテレビドアホンシステムのテレビドアホン子機とテレビドアホン親機のブロック図、図４は、本発明の拡張システムに係るテレビドアホンシステムの中継アダプタ装置のブロック図を示している。なお、これらの図において、共通する部分には同一の符号を付して詳細な説明を省略する。
【００２１】
図１において、本発明の基本システムに係るテレビドアホンシステムは、屋外に設置され第１の子機端子Ｐ１を有するテレビドアホン子機１と、屋内に設置され第１、第２の親機端子Ｐ３１、Ｐ３２を有するテレビドアホン親機３とを備えている。ここで、第１の子機端子Ｐ１は、２線ケーブルＬ０を介して第１の親機端子Ｐ３１に接続され、第２の親機端子Ｐ３２は、ＡＣケ−ブル（以下「親機ＡＣケーブル」という。）Ｌ３２を介して商用電源（ＡＣ１００Ｖ）に接続されている。
【００２２】
次に、このような基本システムに係るテレビドアホンシステムに、新たにテレビドアホン子機およびテレビドアホン親機を増設する場合について説明する。
【００２３】
図２において、本発明の拡張システムに係るテレビドアホンシステムは、屋外に設置され、第１の子機端子Ｐ１を有するテレビドアホン子機１と、屋外に増設設置され、第２の子機端子Ｐ２を有するテレビドアホン子機（以下「増設テレビドアホン子機」という。）２と、屋内に設置され、第１、第２の親機端子Ｐ３１、Ｐ３２を有するテレビドアホン親機３と、屋内に増設設置され、第４の親機端子Ｐ４を有するテレビドアホン親機（以下「増設テレビドアホン親機」という。
）４と、テレビドアホン子機１および増設テレビドアホン子機２と、テレビドアホン親機３および増設テレビドアホン親機４間に追加設置され、第１〜第８のアダプタ端子Ｐ５１〜Ｐ５８を有する中継アダプタ装置５と、屋内に増設される電気錠制御装置７１と、住戸玄関扉等に増設される電気錠７２と、発信機６２の緊急呼出しを受信し、中継アダプタ装置５に緊急呼出信号を送信する緊急呼出受信装置６１とを備えている。ここで、第１の子機端子Ｐ１は、第１の２線ケーブルＬ１を介して第１のアダプタ端子Ｐ５１に、第２の子機端子Ｐ２は、第２の２線ケーブルＬ２を介して第２のアダプタ端子Ｐ５２に、第１の親機端子Ｐ３１は、第３の２線ケーブルＬ３を介して第３のアダプタ端子Ｐ５３に、第４の親機端子Ｐ４は、第４の２線ケーブルＬ４を介して第４のアダプタ端子Ｐ５４にそれぞれ接続されている。また、第５のアダプタ端子Ｐ５５は、第５のケーブル（ＡＣケーブル）Ｌ５を介して商用電源（ＡＣ１００Ｖ）に、第６のアダプタ端子Ｐ５６は、第６のケーブルＬ６を介して緊急呼出受信装置６１に、第７のアダプタ端子Ｐ５７は、第７のケーブルＬ７を介して電気錠制御装置７１にそれぞれ接続され、電気錠制御装置７１には電気錠ケーブルＬ７２を介して電気錠７２が接続されている。
【００２４】
テレビドアホン子機１および増設テレビドアホン子機２は、それぞれ同様の構成とされ、図３に示すように、ＣＣＤ、ＣＭＯＳセンサー等で構成されるＴＶカメラモジュール１１、映像信号変調回路１１１、子機マイクロフォン１２、子機マイクアンプ回路１２１、子機スピーカ１３、子機スピーカアンプ回路１３１、呼出ボタン１４、子機制御回路１５、子機モデム回路１５１、子機通話回路１７、子機伝送回路１８および子機電源回路１９の各部（回路）を備えている。ここで、子機伝送回路１８は、映像信号変調回路１１１、子機モデム回路１５１、子機通話回路１７、子機電源回路１９および第１の子機端子Ｐ１に接続され、映像信号変調回路１１１にはＴＶカメラモジュール１１が、子機モデム回路１５１には子機制御回路１５を介して呼出ボタン１４がそれぞれ接続されている。また、子機通話回路１７は、子機制御回路１５、子機マイクアンプ回路１２１および子機スピーカアンプ回路１３１に接続され、子機マイクアンプ回路１２１には子機マイクロフォン１２が、子機スピーカアンプ回路１３１には子機スピーカ１３がそれぞれ接続されている。なお、子機通話回路１７として周波数多重等の回路で構成されている。
【００２５】
テレビドアホン親機３および増設テレビドアホン親機４は、それぞれ同様の構成とされ、図３に示すように、ＬＣＤ、有機ＥＬ等で構成される表示ユニット３１、映像信号復調回路３１１、表示ユニットインタフェース回路（以下「表示ユニットＩＦ回路」という。）３１２、タッチパネル３２、親機マイクアンプ回路３２１、通話ボタン３３、親機スピーカアンプ回路３３１、親機マイクロフォン３４、親機スピーカ３５、内蔵プログラム３６ａを有する親機制御回路３６、親機モデム回路３６１、親機通話回路３７、音声スイッチ回路３７１、親機伝送回路３８、親機給電回路３９および親機電源回路３９１の各部（回路）を備えている。ここで、親機伝送回路３８は、映像信号復調回路３１１、親機モデム回路３６１、親機通話回路３７、親機給電回路３９、親機電源回路３９１および第１の親機端子Ｐ３１に接続され、映像信号復調回路３１１には表示ユニットＩＦ回路３１２が、親機モデム回路３６１には親機制御回路３６が、親機通話回路３７には親機通話回路３７および音声スイッチ回路３７１が、親機給電回路３９には第２の親機端子Ｐ３２がそれぞれ接続されている。また、親機制御回路３６は、表示ユニットＩＦ回路３１２、タッチパネル３２および通話ボタン３３に接続され、表示ユニットＩＦ回路３１２には表示ユニット３１が接続されている。さらに、音声スイッチ回路３７１は、親機マイクアンプ回路３２１および親機スピーカアンプ回路３３１に接続され、親機マイクアンプ回路３２１には親機マイクロフォン３４が、親機スピーカアンプ回路３３１には親機スピーカ３５がそれぞれ接続されている。なお、音声スイッチ回路３７１はエコーキャンセラー等の回路を用いて構成される。また、通話回路３７は、一般的にハイブリッド回路や周波数多重回路で構成される。なお、中継アダプタ５から電源が供給されない場合には、第２の親機端子Ｐ３２に商用電源を接続してもよい。
【００２６】
中継アダプタ装置５は、図４に示すように、第１、第２の子機伝送回路５１、５２、第１、第２の親機伝送回路５３、５４、アダプタ給電回路５５、緊急呼出受信装置インタフェース回路（以下「緊急呼出受信装置ＩＦ回路」という。）５６、電気錠装置インタフェース回路（以下「電気錠装置ＩＦ回路」という。）５７、他世帯伝送回路５８、アダプタ制御回路５０、無線親機伝送回路５ｃ、無線ＬＡＮカード５ｄ、音声・映像信号切替回路５ｅ、映像信号切替回路５ｆ、映像信号復調回路５ｇ、Ａ／Ｄ変換回路５ｈ、画像圧縮回路５ｉ、映像信号変調回路５ｊ、Ｄ／Ａ変換回路５ｋ、画像伸張回路５ｌ、画像メモリ回路５ｍ、ＰＣカードインタフェース回路（以下「ＰＣカードＩＦ回路」という。）５ｎおよびアダプタモデム回路５ｏの各部（回路）を備えている。ここで、アダプタ制御回路５０は、映像信号切替回路５ｆ、画像圧縮回路５ｉ、画像伸張回路５ｌ、画像メモリ回路５ｍ、ＰＣカードＩＦ回路５ｎ、アダプタモデム回路５ｏ、緊急呼出受信装置ＩＦ回路５６および電気錠装置ＩＦ回路５７に接続され、映像信号切替回路５ｆには音声・映像信号切替回路５ｅを介して第１、第２の子機伝送回路５１、５２、第１、第２の親機伝送回路５３、５４、他世帯伝送回路５８および無線親機伝送回路５ｃが、画像圧縮回路５ｉにはＡ／Ｄ変換回路５ｈおよび映像信号復調回路５ｇを介して映像信号切替回路５ｆが、画像伸張回路５ｌにはＤ／Ａ変換回路５ｋおよび映像信号変調回路５ｊを介して映像信号切替回路５ｆが、ＰＣカードＩＦ回路５ｎには無線ＬＡＮカード５ｄが、アダプタモデム回路５ｏには第１、第２の子機伝送回路５１、５２、第１、第２の親機伝送回路５３、５４、他世帯伝送回路５８および無線親機伝送回路５ｃの各出力側が、電気錠装置ＩＦ回路５７には第７のアダプタ端子Ｐ５７が、緊急呼出受信装置ＩＦ回路５６には第６のアダプタ端子Ｐ５６がそれぞれ接続されている。また、第１の子機伝送回路５１は第１のアダプタ端子Ｐ５１に、第２の子機伝送回路５２は第２のアダプタ端子Ｐ５２に、第１の親機伝送回路５３は第３のアダプタ端子Ｐ５３に、第２の親機伝送回路５４は第４のアダプタ端子Ｐ５４に、他世帯伝送回路５８は第８のアダプタ端子Ｐ５８にそれぞれ接続されている。さらに、第５のアダプタ端子Ｐ５５はアダプタ給電回路５５に接続され、アダプタ給電回路５５には第１、第２の子機伝送回路５１、５２、第１、第２の親機伝送回路５３、５４、他世帯伝送回路５８、緊急呼出受信装置ＩＦ回路５６および電気錠装置ＩＦ回路５７の各入力側が接続されている。
【００２７】
次に、このように構成された本発明のテレビドアホンシステムの動作について説明する。
【００２８】
最初に、テレビドアホン子機１からテレビドアホン親機３を呼出す例について説明する。
【００２９】
図２および図４において、先ず、アダプタ給電回路５５に第５のケーブルＬ５を介して商用電源（ＡＣ１００Ｖ）が供給されると、アダプタ給電回路５５から、次の経路を経由してテレビドアホン子機１、増設テレビドアホン子機２、増設テレビドアホン親機４、緊急呼出受信装置６１、電気錠制御装置７１および電気錠７２に対してそれぞれ直流電源が給電される。すなわち、▲１▼第１の子機伝送回路５１、第１のアダプタ端子Ｐ５１、第１のケーブルＬ１、第１の子機端子Ｐ１およびテレビドアホン子機１の子機伝送回路１８を介して子機電源回路１９へ、▲２▼第２の子機伝送回路５２、第２のアダプタ端子Ｐ５２、第２のケーブルＬ２、第２の子機端子Ｐ２および増設テレビドアホン子機２の子機伝送回路（不図示）を介して子機電源回路（不図示）へ、▲３▼第２の親機伝送回路５４、第４のアダプタ端子Ｐ５４、第４のケーブルＬ４、第２の親機端子Ｐ４および増設テレビドアホン親機４の親機伝送回路（不図示）を介して親機電源回路（不図示）へ、▲４▼緊急呼出受信装置ＩＦ回路５６、第６のアダプタ端子Ｐ５６および第６のケーブルＬ６を介して緊急呼出受信装置６１へ、▲５▼電気錠装置ＩＦ回路５７、第７のアダプタ端子Ｐ５７および第７のケーブルＬ７を介して電気錠制御装置７１へ、▲６▼電気錠制御装置７１を介して電気錠７２へ、それぞれ直流電源が給電される。これにより、▲１▼テレビドアホン子機１の子機電源回路１９からテレビドアホン子機１の各部（回路）に、▲２▼増設テレビドアホン子機２の子機電源回路から増設テレビドアホン子機２の各部（回路）に、▲３▼増設テレビドアホン親機４の親機電源回路から増設テレビドアホン親機４の各部（回路）に、▲４▼緊急呼出受信装置６１、電気錠制御装置７１および電気錠制御装置７１の各部（回路）に、それぞれ動作電源が供給される。なお、テレビドアホン親機３の親機給電回路３９には、第２の親機端子Ｐ３２および親機ＡＣケーブルＬ３２を介して商用電源が接続されていることから、当該親機給電回路３９から親機伝送回路３８を介してレビドアホン親機３の親機電源回路３９１へ直流電源が給電され、当該親機電源回路３９１からテレビドアホン親機３の各部（回路）に動作電源が供給されることになるが、第２の親機端子Ｐ３２に商用電源を接続しない場合には、親機アダプタ給電回路３９から直流電源が給電される。
【００３０】
また、基本システムに係るテレビドアホンシステムに、中継アダプタ装置５を追加接続すると、テレビドアホン親機３の内蔵プログラム３６ａのプログラム動作により、親機制御回路３６からアダプタ追加設定信号が出力され、このアダプタ追加設定信号が表示ユニットＩＦ回路３１２を介して表示ユニット３１へ伝送される。これにより、テレビドアホン親機３の表示ユニット３１に、テレビドアホン子機１または増設テレビドアホン子機２の１つを選局するための操作ボタンや操作案内画面が表示される。
【００３１】
このような状態において、来客がテレビドアホン子機１の呼出ボタン１４を押下すると、子機制御回路１５からテレビドアホン子機１の情報（テレビドアホン子機１の番号）を含有する呼出信号Ｓ１５１が出力され、この呼出信号Ｓ１５１が子機モデム回路１５１、子機伝送回路１８、第１の子機端子Ｐ１、第１のケーブルＬ１、第１のアダプタ端子Ｐ５１、第１の子機伝送回路５１およびアダプタモデム回路５ｏを介してアダプタ制御回路５０へ伝送される。かかる呼出信号Ｓ１５１がアダプタ制御回路５０で検出されるとアダプタ制御回路５０から呼出検出信号Ｓ５ｏが出力され、この呼出検出信号５ｏがアダプタモデム回路５ｏ、第１の親機伝送回路５３、第３のアダプタ端子Ｐ５３、第３のケーブルＬ３、テレビドアホン親機３の第１の親機端子Ｐ３１、親機伝送回路３８および親機モデム回路３６１を介して親機制御回路３６へ伝送される。そして、かかる呼出検出信号５ｏが親機制御回路３６で検出されると、親機制御回路３６の制御により、親機スピーカ３５で呼出音が鳴動する。
【００３２】
ここで、テレビドアホン子機１からの呼出を受けたテレビドアホン親機３において、居住者がタッチパネル３２を用いて表示ユニット３１に表示されたテレビドアホン子機１を選局するための操作ボタン（不図示）をタッチ操作すると、親機制御回路３６から選局信号Ｓ３６が出力され、この選局信号Ｓ３６が前述の呼出検出信号Ｓ５ｏと逆の経路を経由してアダプタ制御回路５０へ伝送される。かかる選局信号Ｓ３６がアダプタ制御回路５０で検出されるとアダプタ制御回路５０から切替制御信号Ｓ５ｆが出力され、この切替制御信号Ｓ５ｆが映像信号切替回路５ｆを介して音声・映像信号切替回路５ｅへ伝送される。これにより、音声・映像信号切替回路５ｅおよび映像信号切替回路５ｆがテレビドアホン子機１側へ切り替えられる。
【００３３】
また、これと共に、親機制御回路３６から呼出応答信号Ｓ３６１が出力され、この呼出応答信号Ｓ３６１が親機モデム回路３６１、親機伝送回路３８、第１の親機端子Ｐ３１、第３のケーブルＬ３、第３のアダプタ端子Ｐ５３、第１の親機伝送回路５３、音声・映像信号切替回路５ｅ、第１の子機伝送回路５１、第１のアダプタ端子Ｐ５１、第１のケーブルＬ１、第１の子機端子Ｐ１および子機伝送回路１８を介して子機制御回路１５へ伝送される。そして、かかる呼出応答信号Ｓ３６１が子機制御回路１５で検出されると、子機制御回路１５の制御により、子機スピーカ１３から呼出確認音が鳴動する。
【００３４】
これにより、テレビドアホン子機１の有する通話機能（子機マイクロフォン１２および子機スピーカ１３）と、テレビドアホン親機３の有する通話機能（親機マイクロフォン３４および親機スピーカ３５）との間に、子機マイクアンプ回路１２１・子機スピーカアンプ回路１３１、子機通話回路１７、子機伝送回路１８、第１の子機端子Ｐ１、第１のケーブルＬ１、第１のアダプタ端子Ｐ５１、第１の子機伝送回路５１、音声・映像信号切替回路５ｅ、第１の親機伝送回路５３、第３のアダプタ端子Ｐ５３、第３のケーブルＬ３、第１の親機端子Ｐ３１、親機伝送回路３８、親機通話回路３７、音声スイッチ回路３７１および親機マイクアンプ回路３２１・親機スピーカアンプ回路３３１を介して通話路が形成される。
【００３５】
一方、来客の映像は、固体撮像素子を有するＴＶカメラモジュール１１で撮像され、ＴＶカメラモジュール１１から撮像信号Ｓ１１が出力される。かかる撮像信号Ｓ１１は、映像信号変調回路１１１においてＦＭ、ＡＭ、ＰＭ等の映像信号Ｓ１１１に変調され、変調された映像信号Ｓ１１１は、子機伝送回路１８、第１の子機端子Ｐ１、第１のケーブルＬ１、第１のアダプタ端子Ｐ５１、第１の子機伝送回路５１、音声・映像信号切替回路５ｅ、第１の親機伝送回路５３、第３のアダプタ端子Ｐ５３、第３のケーブルＬ３、第１の親機端子Ｐ３１および親機伝送回路３８を介して映像信号復調回路３１１へ伝送され、映像信号復調回路３１１においてＴＶ信号Ｓ３１１に復調される。そして、映像信号復調回路３１１から出力されるＴＶ信号Ｓ３１１は、表示ユニットＩＦ回路３１２を介して表示ユニット３１へ伝送される。これにより、表示ユニット３１に来客の映像が表示される。
【００３６】
次に、テレビドアホン子機１に係る来客映像を録画し、テレビドアホン親機３で再生確認する例について説明する。
【００３７】
先ず、ＴＶカメラモジュール１１から出力される前述の撮像信号Ｓ１１は、映像信号変調回路１１１において映像信号Ｓ１１１に変調され、変調された映像信号Ｓ１１１は、子機伝送回路１８、第１の子機端子Ｐ１、第１のケーブルＬ１、第１のアダプタ端子Ｐ５１、第１の子機伝送回路５１、音声・映像信号切替回路５ｅおよび映像信号選択切替回路５ｆを介して映像信号復調回路５ｇへ伝送され、この映像信号復調回路５ｇにおいてアナログ映像信号Ｓ５ｇに復調される。そして、映像信号復調回路５ｇから出力されたアナログ映像信号Ｓ５ｇはＡ／Ｄ変換回路５ｈへ入力され、Ａ／Ｄ変換回路５ｈから出力されたデジタル映像信号Ｓ５ｈは画像圧縮回路５ｉへ入力され任意の画面が選択されデジタル圧縮される。画像圧縮回路５ｉから出力された画像圧縮データ（静止画）Ｓ５ｉはアダプタ制御回路５０のプログラム動作によって画像メモリ回路５ｍに記録される。
【００３８】
このような状態において、居住者が表示ユニット３１に表示された操作案内画面にしたがって再生ボタン（不図示）をタッチ操作すると、親機制御回路３６から再生信号が出力され、この再生信号が前述の選局信号Ｓ３６と同様の経路を経由してアダプタ制御回路５０へ伝送される。そして、かかる再生信号がアダプタ制御回路５０で検出されると、アダプタ制御回路５０のプログラム動作によって画像メモリ回路５ｍに記録された録画データ（静止画）Ｓ５ｍが読み出され画像伸張回路５ｌへ入力される。画像伸張回路５ｌで復元されたデジタル画像信号（静止画）Ｓ５ｋは、Ｄ／Ａ変換回路５ｋへ入力され、Ｄ／Ａ変換回路５ｋにおいてアナログ映像信号Ｓ５ｊに変換される。Ｄ／Ａ変換回路５ｋから出力されたアナログ映像信号Ｓ５ｊは、映像信号変調回路５ｊで変調され、変調された映像信号Ｓ３８は映像信号切替回路５ｆ、音声・映像信号切替回路５ｅ、第１の親機伝送回路５３、第３のアダプタ端子Ｐ５３、第３のケーブルＬ３、第１の親機端子Ｐ３１、親機伝送回路３８を介して映像信号復調回路３１１へ伝送され、映像信号復調回路３１１においてＴＶ信号Ｓ３１１に復調される。復調されたＴＶ信号Ｓ３１１は、表示ユニットＩＦ回路３１２を介して表示ユニット３１へ伝送され、これにより、表示ユニット３１に来客映像が再生表示される。
【００３９】
次に、テレビドアホン親機３で電気錠７２を制御する例について説明する。
【００４０】
先ず、居住者が表示ユニット３１に表示された操作案内画面にしたがって電気錠解錠操作ボタン（不図示）をタッチ操作すると、親機制御回路３６から電気錠解錠操作信号Ｓ３６３が出力され、この電気錠解錠操作信号Ｓ３６３が前述の選局信号Ｓ３６と同様の経路を経由してアダプタ制御回路５０へ伝送される。そして、かかる電気錠解錠操作信号Ｓ３６３がアダプタ制御回路５０で検出されると、アダプタ制御回路５０のプログラム動作によって電気錠解錠信号Ｓ５７が出力され、この電気錠解錠信号Ｓ５７が電気錠ＩＦ回路５７、第７のアダプタ端子Ｐ５７、第７のケーブルＬ７、電気錠制御装置７１および電気錠ケーブルＬ７２を介して電気錠７２へ伝送され、これにより、電気錠７２が解錠される。同様に、居住者が表示ユニット３１に表示された操作案内画面にしたがって電気錠施錠操作ボタン（不図示）をタッチ操作すると、親機制御回路３６から電気錠施錠操作信号（不図示）が出力され、この電気錠施錠操作信号が前述の電気錠解錠操作信号Ｓ３６３および電気錠解錠信号Ｓ５７と同様の経路を経由して電気錠７２に伝送され、これにより、電気錠７２が施錠される。
【００４１】
次に、発信機６２からの緊急呼出信号をテレビドアホン親機３で受信する例について説明する。
【００４２】
図２において、先ず、発信機６２の呼出ボタン（不図示）を押下すると、無線による緊急呼出信号が送信され、かかる緊急呼出信号が緊急呼出受信装置６１で受信されると、緊急呼出受信装置６１から緊急信号Ｓ５６が出力され、この緊急信号Ｓ５６が第６のケーブルＬ６、中継アダプタ装置５の第６のアダプタ端子Ｐ５６および緊急呼出受信装置ＩＦ回路５６を介してアダプタ制御回路５０へ伝送される。かかる緊急信号Ｓ５６がアダプタ制御回路５０で検出されると、アダプタ制御回路５０の制御により緊急呼出信号Ｓ３６４が出力され、この緊急呼出信号Ｓ５６が前述の選局信号Ｓ３６と逆の経路を経由して親機制御回路３６へ伝送される。かかる緊急呼出信号が親機制御回路３６で検出されると、親機制御回路３６の制御により、親機スピーカ３５から緊急呼出音が鳴動すると共に表示ユニット３１に緊急呼出が表示される。これにより、発信機６２からの緊急呼出がテレビドアホン親機３に係る居住者に対して報知される。
【００４３】
次に、他の実施例を図５〜図７を用いて説明する。
【００４４】
図５は、本発明の他世帯連動システムに係るテレビドアホンシステムのシステム構成図を示している。なお、同図において、図１〜図４と共通する部分には同一の符号を付して詳細な説明を省略する。
【００４５】
図５において、本発明の他世帯連動システムに係るテレビドアホンシステムは、例えば親夫婦世帯ａに設置される第１のテレビドアホン子機１ａ、第１のテレビドアホン親機３ａおよび第１の中継アダプタ装置５ａと、子夫婦世帯ｂに設置される第２のテレビドアホン子機１ｂ、第２のテレビドアホン親機３ｂおよび第２の中継アダプタ装置５ｂとを備えている。ここで、第１、第２のテレビドアホン子機１ａ、１ｂ、第１、第２のテレビドアホン親機３ａ、３ｂおよび第１、第２の中継アダプタ装置５ａ、５ｂは、それぞれ前述のテレビドアホン子機１、テレビドアホン親機３および中継アダプタ装置５と同様の構成とされている。
【００４６】
この実施例においては、第１のテレビドアホン子機１ａの第１の子機端子Ｐ１は、第１のケーブルＬ１を介して第１の中継アダプタ装置５ａの第１のアダプタ端子Ｐ５１に、第２のテレビドアホン子機１ｂの第２の子機端子Ｐ２は、第２のケーブルＬ２を介して第２の中継アダプタ装置５ｂの第２のアダプタ端子Ｐ５２に、第１の中継アダプタ装置５ａの第３のアダプタ端子Ｐ５３は、第３のケーブルＬ３を介して第１のテレビドアホン親機３ａの第１の親機端子Ｐ３１に、第２の中継アダプタ装置５ｂの第４のアダプタ端子Ｐ５４は、第４のケーブルＬ４を介して第２のテレビドアホン親機３ｂの第４の親機端子Ｐ４に、第１の中継アダプタ装置５ａの第８のアダプタ端子Ｐ５８は、第８のケーブルＬ８を介して第２の中継アダプタ装置５ｂの第８のアダプタ端子Ｐ５８に、第１、第２の中継アダプタ装置５ａ、５ｂの各第５のアダプタ端子Ｐ５５は、それぞれ第５のケーブル（ＡＣケーブル）Ｌ５を介して商用電源（ＡＣ１００Ｖ）に、第１、第２のテレビドアホン親機３ａ、３ｂの各第２の親機端子Ｐ３２は、それぞれ親機ＡＣケーブルＬ３２を介して商用電源（ＡＣ１００Ｖ）に接続されている。
【００４７】
次に、この実施例の動作について説明する。
【００４８】
先ず、第１のテレビドアホン子機１ａからの呼出信号を受信した第１のテレビドアホン親機３ａにおいて、居住者が表示ユニット３１に表示された操作案内画面にしたがって第２のテレビドアホン親機３ｂを呼出して通話するための通話ボタン（不図示）をタッチ操作すると、親機制御回路３６から通話信号Ｓ３６２が出力され、この通話信号Ｓ３６２が前述の選局信号Ｓ３６と同様の経路を経由して第１の中継アダプタ装置５ａのアダプタ制御回路５０へ伝送される。そして、かかる通話信号Ｓ３６２が第１の中継アダプタ装置５ａのアダプタ制御回路５０で検出されると、第１の中継アダプタ装置５ａのアダプタ制御回路５０の制御により、呼出制御信号Ｓ５８３が出力され、この呼出制御信号Ｓ５８３が、第１の中継アダプタ装置５ａのアダプタモデム回路５ｏ、第１の中継アダプタ装置５ａの他世帯伝送回路５８、第１の中継アダプタ装置５ａの第８のアダプタ端子Ｐ５８、第８のケーブルＬ８、第２の中継アダプタ装置５ｂの第８のアダプタ端子Ｐ５８、第２の中継アダプタ装置５ｂの他世帯伝送回路５８、第２の中継アダプタ装置５ｂの音声・映像信号切替回路５ｅ、第２の中継アダプタ装置５ｂの第２の親機伝送回路５４、第２の中継アダプタ装置５ｂの第４のアダプタ端子Ｐ５４、第４のケーブルＬ４、第２のテレビドアホン親機３ｂの第４の親機端子Ｐ４、第２のテレビドアホン親機３ｂの親機伝送回路３８および第２のテレビドアホン親機３ｂの親機モデム回路３６１を介して第２のテレビドアホン親機３ｂの親機制御回路３６へ伝送される。そして、かかる呼出制御信号Ｓ５８３が第２のテレビドアホン親機３ｂの親機制御回路３６で検出されると、親機制御回路３６の制御により、親機スピーカ３５から通話音が鳴動する。
【００４９】
これにより、第１のテレビドアホン親機３ａの有する通話機能（親機マイクロフォン３４および親機スピーカ３５）と、第２のテレビドアホン親機３ｂの有する通話機能（親機マイクロフォン３４および親機スピーカ３５）との間に、第１のテレビドアホン親機３ａの親機マイクアンプ回路３２１・親機スピーカアンプ回路３３１、第１のテレビドアホン親機３ａの音声スイッチ回路３７１、第１のテレビドアホン親機３ａの親機伝送回路３８、第１のテレビドアホン親機３ａの第１の親機端子Ｐ３１、第３のケーブルＬ１、第３のアダプタ端子Ｐ５３、第１の中継アダプタ装置５ａの第１の親機伝送回路５３、第１の中継アダプタ装置５ａの音声・映像信号切替回路５ｅ、第１の中継アダプタ装置５ａの他世帯伝送回路５８、第１の中継アダプタ装置５ａの第８のアダプタ端子Ｐ５８、第８のケーブルＬ８、第２の中継アダプタ装置５ｂの第８のアダプタ端子Ｐ５８、第２の中継アダプタ装置５ｂの他世帯伝送回路５８、第２の中継アダプタ装置５ｂの音声・映像信号切替回路５ｅ、第２の中継アダプタ装置５ｂの第４のアダプタ端子Ｐ５４、第４のケーブルＬ４、第２のテレビドアホン親機３ｂの第４の親機端子Ｐ４、第２のテレビドアホン親機３ｂの親機伝送回路３８、第２のテレビドアホン親機３ｂの親機通話回路３７、第２のテレビドアホン親機３ｂの音声スイッチ回路３７１および親機マイクアンプ回路３２１・親機スピーカアンプ回路３３１を介して通話路が形成される。
【００５０】
図６は、本発明の無線式のテレビドアホン親機との連動システムに係るテレビドアホンシステムのシステム構成図を示している。なお、同図において、図１〜図５と共通する部分には同一の符号を付して詳細な説明を省略する。
【００５１】
図６において、本発明の無線式のテレビドアホン親機との連動システムに係るテレビドアホンシステムは、屋外に設置されるテレビドアホン子機１と、屋内に設置される第１のテレビドアホン親機３ａと、無線親機伝送回路５ｃを搭載した中継アダプタ装置５と、無線通信機能を備えた第３のテレビドアホン親機３ｃとを備えている。
【００５２】
この実施例においては、テレビドアホン子機１の第１の子機端子Ｐ１は、第１のケーブルＬ１を介して中継アダプタ装置５の第１のアダプタ端子Ｐ５１に、中継アダプタ装置５の第３のアダプタ端子Ｐ５３は、第３のケーブルＬ３を介して第１のテレビドアホン親機３ａの第１の親機端子Ｐ３１に、第１のテレビドアホン親機３ａの第２の親機端子Ｐ３２は、親機ＡＣケーブルＬ３２を介して商用電源（ＡＣ１００Ｖ）に、中継アダプタ装置５の第５のアダプタ端子Ｐ５５は、第５のケーブルＬ５を介して商用電源（ＡＣ１００Ｖ）にそれぞれ接続されている。
【００５３】
次に、この実施例の動作について説明する。なお、テレビドアホン子機１の呼出ボタン１４を押下することにより、▲１▼呼出信号がアダプタ制御回路５０へ伝送される点、▲２▼ＴＶカメラモジュール１１で撮像され来客の映像信号が変調され、変調された映像信号が第１の子機伝送回路５１へ伝送される点は、前述と同様であることから詳細な説明を省略する。
【００５４】
この実施例においては、テレビドアホン子機１からの呼出信号が中継アダプタ装置５のアダプタ制御回路５０へ伝送されると、アダプタ制御回路５０から呼出検出信号Ｓ５ｃが出力される。かかる呼出検出信号Ｓ５ｃはアダプタモデム回路５ｏを介して無線親機伝送回路５ｃへ伝送され、この無線親機伝送回路５ｃから無線による呼出検出信号が送信される。そして、かかる無線による呼出検出信号が無線通信機能を備えた第３のテレビドアホン親機３ｃで受信されると、第３のテレビドアホン親機３ｃの親機スピーカ３５から呼出音が鳴動する。
【００５５】
次に、第３のテレビドアホン親機３ｃから出力された無線による選局信号が前述の無線による呼出検出信号と逆の経路を経由してアダプタ制御回路５０へ伝送されると、アダプタ制御回路５０の制御により、前述と同様にして、音声・映像信号切替回路５ｅおよび映像信号切替回路５ｆがテレビドアホン子機１側へ切り替えられる。
【００５６】
また、第３のテレビドアホン親機３ｃから出力された無線による呼出応答信号が前述の無線による呼出検出信号および呼出信号と逆の経路を経由してテレビドアホン子機１へ伝送されると、テレビドアホン子機１の子機スピーカ１３から呼出確認音が鳴動する。
【００５７】
一方、テレビドアホン子機１から伝送される来客の映像信号が前述の映像信号Ｓ１１１と同様にして中継アダプタ装置５へ伝送されると、中継アダプタ装置５から無線によるＴＶ信号Ｓ５９１が送信される。そして、無線によるＴＶ信号Ｓ５９１が第３のテレビドアホン親機３ｃで受信されると、第３のテレビドアホン親機３ｃ表示ユニット３１に来客の映像が表示される。また、第３のテレビドアホン親機３ｃから出力された無線による無線による通話信号Ｓ５９２が前述の無線による呼出検出信号と逆の経路を経由して中継アダプタ装置５のアダプタ制御回路５０へ伝送されると、アダプタ制御回路５０から呼出制御信号（不図示）が出力され、この呼出制御信号が前述の呼出制御信号Ｓ５８３と同様の経路を経由して第１のテレビドアホン親機３ａの親機制御回路３６へ伝送され、親機スピーカ３５から通話音が鳴動する。これにより、テレビドアホン子機１に係る来客と第１のテレビドアホン親機３ａに係る居住者間で通話を行なうことができる。
【００５８】
図７は、本発明の無線ＬＡＮやブルートゥースを用いたＩＰ連動システムに係るテレビドアホンシステムのシステム構成図を示している。なお、同図において、図１〜図６と共通する部分には同一の符号を付して詳細な説明を省略する。
【００５９】
図７において、本発明の無線ＬＡＮやブルートゥースを用いたＩＰ連動システムに係るテレビドアホンシステムは、屋外に設置されるテレビドアホン子機１と、屋内に設置される第１のテレビドアホン親機３ａと、無線ＬＡＮカード５ｄを搭載した第４の中継アダプタ装置５と、無線ＬＡＮ装置８１と、ブロードバンドルーター８２と、公衆ネットワーク９とを備えている。
【００６０】
この実施例においては、テレビドアホン子機１の第１の子機端子Ｐ１は、第１のケーブルＬ１を介して第４の中継アダプタ装置５の第１のアダプタ端子Ｐ５１に、第４の中継アダプタ装置５の第３のアダプタ端子Ｐ５３は、第３のケーブルＬ３を介して第１のテレビドアホン親機３ａの第１の親機端子Ｐ３１に、第１のテレビドアホン親機３ａの第２の親機端子Ｐ３２は、親機ＡＣケーブルＬ３２を介して商用電源（ＡＣ１００Ｖ）に、第４の中継アダプタ装置５の第５のアダプタ端子Ｐ５５は、第５のケーブルＬ５を介して商用電源（ＡＣ１００Ｖ）にそれぞれ接続されている。また、無線ＬＡＮ装置８１は、ブロードバンドルーター８２およびＬＡＮケーブルＬ８２を介して公衆ネットワーク９に接続されている。
【００６１】
次に、無線ＬＡＮカード５ｄで録画データを公衆ネットワーク９へ転送する例について説明する。
【００６２】
先ず、居住者が表示ユニット３１に表示された操作案内画面にしたがって転送ボタン（不図示）をタッチ操作すると、第１のテレビドアホン親機３ａの親機制御回路３６から転送信号（不図示）が出力され、この転送信号が前述の選局信号Ｓ３６と同様の経路を経由して第４の中継アダプタ装置５のアダプタ制御回路５０へ伝送される。そして、かかる転送信号がアダプタ制御回路５０で検出されると、アダプタ制御回路５０のプログラム動作によって画像メモリ回路５ｍに記録された録画データ（静止画）Ｓ５ｍが読み出される。読み出された録画データ（静止画）Ｓ５ｍは、ＰＣカードＩＦ回路５ｎを介して無線ＬＡＮカード５ｄへ入力され、無線ＬＡＮカード５ｄから無線による録画データ（静止画）Ｓ５ｍが無線ＬＡＮ装置８１へ送信される。
【００６３】
そして、無線ＬＡＮ装置８１から出力された来客録画等のデータ情報は、ブロードバンドルーター８２およびＬＡＮケーブルＬ８２を介して公衆ネットワーク９へ伝送される。これにより、発信機により来客録画を確認することができる。
【００６４】
図８は、本発明のテレビドアホンシステムにおける中継アダプタ装置５の施工例を示している。なお、同図において、図１〜図７と共通する部分には同一の符号を付して詳細な説明を省略する。
【００６５】
図８（ａ）は、中継アダプタ装置５の形状をテレビドアホン親機３の外形と同一として、中継アダプタ装置５をテレビドアホン親機３に重ね一体型にして設置した場合の実施例を示している。また、図８（ｂ）は、中継アダプタ装置５をテレビドアホン親機３とは別の場所に設置した場合の実施例を示している。図８（ａ）に示す実施例においては、中継アダプタ装置５と、テレビドアホン親機３間を接続するケーブルを省略することができる。
【００６６】
なお、前述の実施例においては、基本システムに係るテレビドアホンシステムに、新たにテレビドアホン子機およびテレビドアホン親機を増設する場合について説明しているが、本発明はこれに限定されず、新設の拡張システムに係るテレビドアホンシステムに適用してもよい。
【００６７】
【発明の効果】
以上の説明から明らかなように、本発明によるテレビドアホンシステムによれば、呼出や通話等の基本機能を有するテレビドアホンシステムに中継アダプタを追加することで、新たにテレビドアホン子機やテレビドアホン親機を増設することができるので、テレビドアホン子機やテレビドアホン親機をシステムの規模や機能に制約されずに共通スペック化することができ、ひいてはテレビドアホンシステムの小型化および低コスト化を図ることができる。さらに、表示部や操作部を必要としないユーザーであれば、中継アダプタ装置を何れの場所でも設置可能で機能アップに必要な構造に設計でき、また、筐体の構造の工夫によりテレビドアホン親機と重ねて一体型として施工することもできる。
【図面の簡単な説明】
【図１】本発明のテレビドアホンシステムを構築するための基本システムに係るテレビドアホンシステムの構成図。
【図２】本発明の拡張システムに係るテレビドアホンシステムのシステム構成図。
【図３】本発明の拡張システムに係るテレビドアホンシステムのテレビドアホン子機とテレビドアホン親機のブロック図。
【図４】本発明の拡張システムに係るテレビドアホンシステムの中継アダプタ装置のブロック図。
【図５】本発明の他の実施例におけるテレビドアホンシステムのシステム構成図。
【図６】本発明の他の実施例におけるテレビドアホンシステムのシステム構成図。
【図７】本発明の他の実施例におけるテレビドアホンシステムのシステム構成図。
【図８】図８（ａ）は、中継アダプタ装置をテレビドアホン親機に重ね一体型にして設置した例を示す説明図、図８（ｂ）は、中継アダプタ装置をテレビドアホン親機とは別の場所に設置した例を示す説明図。
【符号の説明】
１、２・・・テレビドアホン子機
１１・・・ＴＶカメラモジュール
１１１・・・映像信号変調回路
１２・・・子機マイクロフォン
１３・・・子機スピーカ
１４・・・呼出ボタン
１５・・・子機制御回路
１８・・・子機伝送回路
１９・・・子機電源回路
３、３ｂ、３ｃ・・・テレビドアホン親機
３１・・・表示ユニット
３１１・・・映像信号復調回路
３１２・・・表示ユニットＩＦ回路
３２・・・タッチパネルユニット
３３・・・通話ボタン
３４・・・親機マイクロフォン
３５・・・親機スピーカ
３６・・・親機制御回路
３６ａ・・・内蔵プログラム
３８・・・親機伝送回路
４・・・増設テレビドアホン親機
５、５ａ、５ｂ、５ｃ・・・中継アダプタ装置
５ｄ・・・無線ＬＡＮカード
５ｅ・・・音声・映像信号切替回路
５ｆ・・・映像信号切替回路
５ｇ・・・映像信号復調回路
５ｉ・・・画像圧縮回路
５ｊ・・・映像変調回路
５Ｌ・・・画像伸張回路
５ｍ・・・画像メモリ回路
５ｎ・・・ＰＣカードＩＦ回路
５０・・・アダプタ制御回路
５１、５２・・・子機伝送回路
５３、５４・・・親機伝送回路
５５・・・アダプタ電源回路
５６・・・緊急呼出受信装置ＩＦ回路
５７・・・電気錠装置ＩＦ回路
５８・・・他世帯伝送回路
６１・・・緊急呼出受信装置
６２・・・発信機
７１・・・電気錠制御装置
７２・・・電気錠
８１・・・ＬＡＮ装置
Ｌ０、Ｌ１、Ｌ２、Ｌ３、Ｌ４・・・２線ケーブル
Ｌ７１、Ｌ８・・・ケーブル
Ｓ１１・・・撮像信号
Ｓ１１１・・・映像信号
Ｓ１５１・・・呼出信号
Ｓ１５２・・・呼出応答信号
Ｓ１７・・・通話信号
Ｓ３６・・・選局信号
Ｓ３１１・・・ＴＶ信号
Ｓ３６１・・・呼出応答信号
Ｓ３８・・・映像信号
Ｓ５ｃ・・・呼出制御信号
Ｓ３６２・・・通話信号
Ｓ５８３・・・呼出制御信号
【図１】
2004304551.tif 000003
【図２】
2004304551.tif 000004
【図３】
2004304551.tif 000005
【図４】
2004304551.tif 000006
【図５】
2004304551.tif 000007
【図６】
2004304551.tif 000008
【図７】
2004304551.tif 000009
【図８】
2004304551.tif 000010